(57)【特許請求の範囲】
【請求項１】
害虫が内部に進入するための孔部を備える容器と、
一端が固定され他端が自由端である、前記孔部をふさぐ複数の線状部材を備えるブラシ部であって、前記線状部材は、前記一端よりも前記他端が前記害虫の前記容器内への進入方向の下流側に位置するように傾斜して配置されるブラシ部と、
害虫を誘引する誘引物質を前記ブラシ部に誘導する誘引物質誘導部と、
を備えることを特徴とする捕虫器。
【請求項２】
害虫が内部に進入するための孔部を備える容器と、
一端が固定され他端が自由端である複数の線状部材を備えるブラシ部であって、前記線状部材が、前記容器内への進入方向側には害虫の進入を許容するように弾性変形するが、前記容器内から容器外への方向へは進行できないように変形が規制されて前記孔部に配置されるブラシ部と、
害虫を誘引する誘引物質を前記ブラシ部に誘導する誘引物質誘導部と、
を備えることを特徴とする捕虫器。
【請求項３】
前記線状部材は、前記害虫の前記容器内への進入方向となす角度が１０度以上５０度未満となるように傾斜して配置されることを特徴とする請求項１または２に記載の捕虫器。
【請求項４】
前記ブラシ部は、前記複数の線状部材の前記一端側がメッシュ状であるメッシュ部を備え、
前記誘引物質誘導部は、前記メッシュ部に前記誘引物質を誘導することを特徴とする請求項１から３のいずれか１つに記載の捕虫器。
【請求項５】
前記線状部材は、合成樹脂を含むことを特徴とする請求項１から４のいずれか１つに記載の捕虫器。
【発明の詳細な説明】
【技術分野】
【０００１】
本発明は、アリなどの害虫をとらえる、簡便で安全性の高い捕虫器に関する。
【背景技術】
【０００２】
古来より、家屋害虫と呼ばれるものには、ハエや蚊、ゴキブリ、アリ、シロアリのようなものがいる。中でも近年、問題となっているのは、国際自然保護連合の種の保全委員会が定めた世界の侵略的外来種ワースト１００にも指定されているアルゼンチンアリで、日本では広島県廿日市市を中心に、周辺の山口県岩国市、兵庫県神戸市だけでなく、神奈川県横浜市、東京都内などでも生息が確認されている。このアリは、手の入った場所を営巣場所として好む事に加え、他のアリが通ることのできないほどの狭い隙間でも巧みに通り抜ける習性があるため、しばしば屋内に侵入し、家の中の食料を食い荒らしたり、寝ている人に噛みつくなどの被害が発生している。さらに多女王性であるため繁殖力も旺盛で、攻撃力も強いため、アルゼンチンアリが発生した地区では在来種のアリが根絶するなど、生態系にも影響を及ぼす。
【０００３】
これらの問題を解決する手段として、液体系殺虫剤、スプレー型殺虫剤、粉末型殺虫剤、えさ型殺虫剤などが推奨されているが、これらの薬剤中の殺虫成分の中には、土壌汚染となるホウ酸や、ヒドラメチルノン、フィプロニルなどの物質が混入しているため、長期間の使用には適さない。
【０００４】
また、上記のような殺虫剤を用いない安全な方法として、昔からトラップによる捕獲が行われている（特許文献１、特許文献２）。
【先行技術文献】
【特許文献】
【０００５】
【特許文献１】実開昭４９−１４６１７５号公報
【特許文献２】特開平６−１４１７４８号公報
【発明の概要】
【発明が解決しようとする課題】
【０００６】
しかしながら、特許文献１の場合、格子部分にかなり太い樹脂棒を用いており、樹脂棒の間隔が大きいため、ゴキブリのような大型昆虫に対しての捕獲能力はあるが、アリなどの小型昆虫では捕獲できない。さらに特許文献２の場合、トラップ装置自体が大型であるため、設置場所が限られてしまう。
【０００７】
そこで本発明は、上記課題を解決するために、装置が簡便で設置場所も選ばず、殺虫剤による土壌汚染の心配がなく、アリやゴキブリなどの害虫を捕獲・駆除できる捕虫器を提供することを目的とするものである。
【課題を解決するための手段】
【０００８】
すなわち第１の発明は、害虫が内部に進入するための孔部を備える容器と、一端が固定され他端が自由端である、前記孔部をふさぐ複数の線状部材を備えるブラシ部であって、前記線状部材は、前記一端よりも前記他端が前記害虫の前記容器内への進入方向の下流側に位置するように傾斜して配置されるブラシ部と、を備えることを特徴とする捕虫器である。
【０００９】
また第２の発明は、害虫が内部に進入するための孔部を備える容器と、一端が固定され他端が自由端である複数の線状部材を備えるブラシ部であって、前記線状部材が、前記容器内への進入方向側には害虫の進入を許容するように弾性変形するが、前記容器内から容器外への方向へは進行できないように変形が規制されて前記孔部に配置されるブラシ部と、を備えることを特徴とする捕虫器である。
【００１０】
また第３の発明は、上記第１または第２の発明において、前記線状部材は、前記害虫の前記容器内への進入方向となす角度が１０度以上５０度未満で傾斜して配置されることを特徴とする捕虫器である。
【００１１】
また第４の発明は、上記第１から第３の発明のうちいずれか１つにおいて、害虫を誘引する誘引物質を前記ブラシ部に誘導する誘引物質誘導部をさらに備えることを特徴とする捕虫器である。
【００１２】
また第５の発明は、上記第４の発明において、前記ブラシ部は、前記線状部材の前記一端側の少なくとも一部がメッシュ状であるメッシュ部を備え、前記誘引物質誘導部は、前記メッシュ部に前記誘引物質を誘導することを特徴とする捕虫器である。
【００１３】
また第６の発明は、上記第１から第５の発明のうちいずれか１つにおいて、前記線状部材は、合成樹脂を含むことを特徴とする捕虫器である。
【発明の効果】
【００１４】
本発明によれば、有害な化学物質や殺虫剤を用いずとも、手軽にかつ確実に、また設置場所なども選ばす、アリなどの害虫を捕獲できる捕虫器を提供できる。
【図面の簡単な説明】
【００１５】
【図１】本発明の実施形態にかかるトラップ部分の模式図である。
【図２】本発明の実施形態にかかるトラップ部分の模式図である。
【図３】本発明の実施形態にかかる捕虫器の模式図である。
【発明を実施するための形態】
【００１６】
以下に、本発明の実施形態にかかる捕虫器に用いられるトラップ１０について図１および図２を用いて詳述する。このトラップ１０は、害虫を捕獲する捕虫器の容器内に害虫を誘導するとともに、いったん容器内に進入した害虫を外に出さないためのブラシ部を備える部材である。このトラップ１０を、開口部を設けた容器内に、その開口部に対して配置することで、捕虫器を構成することができる。したがって、トラップ１０を配置可能な開口部を有する容器であれば、どのようなものでもトラップ１０を配置して捕虫器を構成することができる。
【００１７】
図１は、本発明の実施形態にかかる捕虫器に使われるトラップ１０の模式図である。本実施形態のトラップ１０は、入口２１から進入した捕虫対象となる害虫が通り抜けるためのトンネル状の通路２２を備えた本体部分２と、通路２２の入口２１とは反対側の出口２３に角度θにて配置されるブラシ部としての捕虫ブラシ１とで構成されている。このトラップ１０を用いて捕虫器を構成する場合は、入口２１と通路２２と出口２３と、入口２１との間に隙間が生じないようにトラップ１０が配置される捕虫器側の開口部とにより、害虫を捕虫器内に導く孔部が形成される。なお入口２１と通路２２と出口２３の形状や大きさについては捕獲対象の害虫の大きさや形などに応じて適宜決めることができる。
【００１８】
捕虫ブラシ１は、上述のように、A方向からトラップ１０の通路２２を通って捕虫器内に進入した害虫が、捕虫器内から再び通路２２を通って捕虫器外に出て行くのを防止するための部材であり、前記通路２２の出口２３付近に配置される。捕虫ブラシ１は、一端が出口２３の上方において本体部分２に固定され、他端が自由端であってＡ方向の力を加えることで出口２３の下端部分との間に隙間ができるように弾性変形する、複数の線状部材１ａで構成されている。捕虫ブラシ１は、複数の線状部材１ａが櫛歯状に一列に配置されたものか、一列に並んだ複数の線状部材１ａが複数列配列したブラシ状のものを用いることができる。
【００１９】
複数の線状部材１ａは、上述のように、害虫が進入する方向であるＡ方向の力によって、Ａ方向に変形が可能であるが、出口２３側から入口２１側（Ａ方向とは逆方向）には変形が規制される。具体的には、線状部材１ａは、線状部材１ａの自由端が固定端よりも害虫の進入方向（Ａ方向）における下流側に位置するように傾斜して配置されることで、Ａ方向には自由に弾性変形するが、Ａ方向とは逆の方向への線状部材１ａの変形は規制することができる。
【００２０】
線状部材１ａの傾斜角は、害虫が入口２１から出口２３側に進入する際の進入方向Ａとのなす角度θが１０度以上、５０度未満であることが好ましく、より好ましくは１５度以上４５度未満、さらに好ましくは３０度以上４０度未満の角度θで傾斜して設置される。なお、図１（及び図２）では、害虫が進入する際に通路２２の底面を進行するとして、線状部材１ａの傾斜角θを、線状部材１ａと通路２２の底面とのなす角度として示している。線状部材１ａが上述のような角度で傾斜していることにより、捕らえた害虫が外に出ようとしても、虫の習性上、線状部材１ａの自由端側を持ち上げたり押しのけたりすることはなく、線状部材１ａの上を傾斜に沿って登ってしまい、逃げられなくなる。また、上記のような傾斜角度とすることで、害虫が通路２２を通って捕虫器内に入る際も、捕虫ブラシ１の下をくぐりやすく、進入を妨げない。さらに、害虫が捕虫ブラシ１の下をくぐって通過する際、通過する虫により捕虫ブラシ１の下端側が持ち上げられるが、上記のような傾斜角度であれば持ち上げられた捕虫ブラシ１の下端側はすぐに元に戻り、出口５が捕虫ブラシ１によってふさがれるため、虫が外に出ることを確実に防ぐことができる。
【００２１】
なお、線状部材１ａを傾斜させて配置した場合に、害虫の進入方向とは逆の方向に線状部材１ａの変形を規制するために、線状部材１ａの一端から自由端である他端までの長さが、通路２２の高さ（内寸）よりも大きいことが好ましい。このような長さとすることで、線状部材１ａに対してＡ方向とは逆の方向に力を加えても、多少の弾性変形は起こるが、通路２２の底面や出口２３の下端に線状部材１ａの自由端が当たり、それ以上の変形は規制される。
【００２２】
このような捕虫ブラシ１により、Ａ方向に侵入する害虫は、線状部材１ａの自由端側を押し上げたり押しのけたりして捕虫器内に通り抜けることが可能である。一方で、捕虫器内から入口２１側には線状部材１ａの変形が規制されるため、捕獲された害虫が線状部材１ａを押しのけて捕虫器外に出ることは不可能となり、いったん捕獲した虫を捕虫器内に確実にとどめておくことができる。
【００２３】
なお、線状部材１ａに加わる力は、捕獲対象とする害虫によって加えられる力である。したがって、捕獲対象の害虫が加えることができる最大限の力が加わっても、Ａ方向の逆方向には変形が規制されて通過できないように、線状部材１ａを配置すればよい。たとえば、捕獲対象の害虫がアリであれば、アリが線状部材１ａを出口２３側から入口２１側に押した場合に、アリの力では入口２１側に通り抜けることができない程度に線状部材１ａの変形が規制されていればよい。
【００２４】
捕虫ブラシ１の線状部材１ａは合成樹脂でできているのが好ましい。これは、捕虫害虫が簡単に捕虫ブラシ１を押し上げてくぐり抜けられるほどの柔軟性と、くぐり抜けた後に元の形状に戻るだけの復元性を備えているからである。具体的には、本体部分２で挙げた一般的な合成樹脂に加え、夏期などに外に置いておくと捕虫器内部が高温になり、変形などの恐れがあることから、耐熱性、耐候性などのある、ポリアミド、ポリアセタール、ポリカーボネートポリフェニレンエーテル、ポリブチレンテレフタレート、ガラス繊維強化ポリエチレンテレフタレート、超高分子ポリエチレンなどのエンジニアプラスチックや、ポリサルフォン、ポリエーテルサルフォン、ポリフェニレンサルファイドポリアリレート、ポリアミドイミド、ポリエーテルイミド、ポリエーテルエーテルケトン、ポリイミド、ＥＴＦＥ（ethylene tetra fluoroethylene）やＰＴＦＥ（polytetrafluoroethylene）などのフッ素樹脂などのスーパーエンジニアリングプラスチックや、ポリフェノール、メラミン樹脂、エポキシ樹脂なども好適に用いられる。特に、捕虫害虫がくぐり抜けた後の復元性を考慮すると、用いる材料は、曲げ応力が40MPa以上150MPa未満のものがより好ましい。曲げ応力が40MPa以下だと復元性に劣るため、中に入った捕虫害虫が外に逃げてしまい、曲げ応力が150MPa以上だと硬すぎて、捕虫害虫が下をくぐることができないためである。
【００２５】
捕虫ブラシ１は、上述のように捕虫害虫がくぐり抜け易いように、ブラシのような形状になっているが、この捕虫ブラシ１の例としては、材料となる合成樹脂フィルムにスリットを入れた櫛状のものでもいいし、この櫛状のフィルムを重ねてブラシ状としたものを用いてもよい。また、捕虫ブラシ１は、金型などの樹脂成形により線状部材１ａが櫛歯状あるいは櫛歯が複数列配列されたブラシ状のものとして製造してもよい。
【００２６】
一例として、アリ等の小型昆虫を捕虫する場合には、合成樹脂フィルムを切って加工し50μm以上、250μm未満程度の幅の複数の櫛歯状の線状部材１ａを形成した捕虫ブラシ１を用いることができる。これは50μm未満だと捕虫ブラシ１の柔軟性が増すため、捕虫したアリが捕虫ブラシ１の上を登れず、外に出てしまう恐れがあるためで、250μｍ以上であると、捕虫ブラシ１が硬くなり、捕虫ブラシ１の下を捕虫害虫がくぐり抜けられないからである。さらにフィルムの厚みを50μm以上、500μm以下とすることが、アリを捕獲するための適度な柔軟性を確保できるという意味で好ましい。厚みが50μm未満のフィルムであると、線状部材１ａの幅を広くしても、過度に柔軟性が出てしまうため、捕獲したアリが捕虫ブラシ１を押し広げて外に逃げてしまう恐れがあり、500μmより厚いと、線状部材１ａの幅を50μmにしても剛性が出てしまうため、アリが捕虫ブラシ１の下をくぐれなくなってしまう。また今回はアリを例として数値を挙げたが、櫛歯状の線状部材１ａの幅およびゲート部（捕虫ブラシ１の害虫が通過可能な範囲）の高さは捕虫害虫の大きさにより適宜、変更できる。また、線状部材１ａ間の隙間の幅は、捕虫対象の虫の幅よりも狭ければよく捕虫対象の虫に応じて適宜設定すればよい。
【００２７】
なお、図１では出口２３部分に捕虫ブラシ１を配置しているが、外部とつながる開口部をふさぐように傾斜したブラシを設けることができれば、入口２１部分に設置してもよいし、両方に設置してもよいし、通路２２の途中に配置してもよい。
【００２８】
また、本実施形態のトラップ１０の本体部分２は、どのような材料で構成してもよいが、たとえば、線状部材１ａと同様に合成樹脂で形成することができる。合成樹脂は自由な形状での設計ができるので、設置場所や対象害虫の大きさなどに合わせて容易に形状を変更でき、軽量化を図ることもできる。具体的な材料としては、たとえば、ポリエチレン樹脂や、ポリプロピレン樹脂、ポリスチレン樹脂、ポリメチルペンテン樹脂、ポリ塩化ビニリデン樹脂、ポリメタクリル酸メチル樹脂、ポリアミド樹脂、ポリイミド樹脂、ポリエチレンテレフタレート樹脂、ポリブチレンテレフタレート樹脂、ポリアリレート樹脂、ポリエーテルフェニルエーテルサルホン樹脂、ポリフッ化ビニリデン樹脂、ＰＶＦ（poly vinyl fluoride）、ＦＥＰ（fluorinated ethylene propylene copolymer）、ＥＴＦＥ、ＰＴＦＥ、ＰＶＤＦ（poly vinylidene difluoride）、ABS樹脂、ポリカーボネート樹脂などの熱可塑性樹脂、ポリフェニレンサルファイド、ポリアリレート、ＰＰＴＡ（Poly(p-phenylene terephthalamide)）などの溶融液晶ポリマーが挙げられるが、加工性や透明性の点からポリメタクリル酸メチル樹脂が好適に用いられる。また捕虫対象害虫がアルゼンチンアリのような外来指定生物である場合は、捕虫器を廃棄処理・移動する前に熱風で簡単に死滅処理することができるように耐熱性樹脂であることがさらに好ましい。
【００２９】
（捕虫ブラシ１の変形例）
捕虫ブラシ１の実施形態の変形例として、図２のように、一部が多孔状になった多孔部１ｐを備えた捕虫ブラシ１’を用いてもよい。これは上部を多孔状にすることで、捕虫ブラシ１’に強度を持たせ、変形しにくくするという目的の他に、後述する誘引剤（ショ糖水をしみこませた濾紙など）を多孔部１ｐに接触させることで、誘引剤が広がりやすくなり、結果、誘因効果が増強されるためである。多孔部１ｐのオープニングエリア（開口部）については特に限定するものではないが、誘引剤が広がりやすくするためには２０％以上、６０％未満であることが望ましい。なおここでいうオープニングエリアとは、多孔面に垂直に平行光線を投射したときの投影面において、投射された多孔面の面積に対する平行光線の透過面積の割合を示す。この多孔部１ｐは、たとえば、網目を有するメッシュ部材により形成することができる。また、線状部材１ａに直行するように、線状部材を設置して、メッシュ状として多孔部１ｐを形成してもよい。さらに、メッシュの端から経糸と緯糸のどちらか一方を抜き取って、残った緯糸または経糸によって自由端を有する線状部材１ａを形成してもよい。この場合は、経糸または緯糸の一方が抜き取られなかった範囲がメッシュとして残り多孔部１ｐを構成する。多孔部１ｐは、線状部材１ａの材料として例示した材料により形成することができる。また、上述したフィルムで捕虫ブラシ１を形成する場合には、フィルムの上部（固定端側）にパンチング加工を行って、多孔部１ｐを形成してもよい。
【００３０】
（捕虫器について）
次に図３を用いて、本発明の捕虫器の実施形態ならびに捕虫方法について詳述する。
【００３１】
図３は、一例として、アリを捕獲対象の害虫として形成したトラップ１０を用いた捕虫器１００の模式図である。捕虫器１００は、捕獲したアリを閉じ込めるための容器５０と、多孔部１ｐを備える捕虫ブラシ１’を備える、前述した複数個のトラップ１０と、トラップ１０の多孔部１ｐ（メッシュ部分）に接するようにショ糖水などの誘引剤を染みこませた濾紙などからなる誘引物質誘導部４と、誘引物質誘導部４に誘引剤を供給するための供給孔５から構成されている。トラップ１０は、容器５０に形成された開口部とトラップ１０の入口２１との間に隙間できないように、容器の開口部に対して入口２１を接続して容器５０内に配置する。なお、図３には複数個のトラップ１０を設置した捕虫器１００を示しているが、トラップ１０の数は適宜変更できる。また、トラップ１０は多孔部１ｐを備える捕虫ブラシ１’を備えるものを示したが、多孔部１ｐがない捕虫ブラシ１を備えるトラップでもよい。
【００３２】
捕虫の流れは次のとおりである。まず、誘引物質誘導部４から捕虫ブラシ１に供給される誘引剤に引き寄せられたアリが、トラップ１０の入口２１から入り、トラップ１０の出口２３に設置してある捕虫ブラシ１にたどり着く。捕虫ブラシ１には、誘引物質誘導部４が接しているため、アリはこの誘引物質誘導部４から供給されるショ糖水をさらに飲もうとして奥に進み、自然に捕虫ブラシ１をくぐり、捕虫器１００中に入ってしまう。中に入ったアリは外に出ようとしても、自身の性質上、捕虫器１００の底面に対して上述した角度で傾斜して設置された捕虫ブラシ１をかき分けてくぐることはできず、捕虫ブラシ１の上を登ってしまうため、外には逃げられない。
【００３３】
誘引物質誘導部４により供給する誘導剤は、ショ糖水だけでなく、砂糖などの食べ物の他、タンパク質、炭水化物、脂質などの食餌成分、天然物由来および調合された芳香成分、フェロモンなどが挙げられ、これらは単独又は２種以上組合せて使用することができ、誘引のための有効量、たとえば液剤全量に対して０．１〜５０重量％となるように配合すればよい。なお、誘導剤が固形である場合には、誘引物質誘導部４自体を固形の誘導剤により形成してもよい。この場合は、捕虫ブラシ１に誘導剤が浸透するわけではないが、同様に誘導剤によって捕虫ブラシ１を通って容器内に害虫を誘い込むことができる。
【００３４】
また誘引物質誘導部４から供給する誘導剤には、殺虫成分を配合してもよい。具体的には、天然ピレトリン、プラレトリン、イミプロトリン、フタルスリン、アレスリン、トランスフルトリン、レスメトリン、フェノトリン、シフェノトリン、ｄ，ｄ−Ｔ９９−シフェノトリン、ペルメトリン、サイパーメスリン、エトフェンプロックス、シフルスリン、デルタメスリン、ビフェントリン、フェンバレレート、フェンプロパスリン、シラフルオフェン、メトフルトリン、プロフルトリン、Ｓ−１８６４（住友化学工業社製）などのピレスロイド系化合物、フェニトロチオン、ダイアジノン、マラソン、ピリダフェンチオン、プロチオホス、ホキシム、クロルピリホス、ジクロルボス等の有機リン系化合物、カルバリル、プロポクスル、メソミル、チオジカルブ等のカーバメート系化合物、メトキサジアゾン等のオキサジアゾール系化合物、アミドフルメット等のスルホンアミド系化合物、ジノテフラン等のニコチノイド系化合物、メトプレン、ハイドロプレン、ピリプロキシフェン等の昆虫成長制御化合物、ホウ酸、クロルフェナピル、フィプロニル、Ｓ−１９９１（住友化学工業社製）、ベンジルアルコール、ハッカ油等の殺虫性精油類、これらの異性体、誘導体等の１種又は２種以上が挙げられる。本発明の捕虫器１００では、容器５０の中に誘引部材４を設置し、その上、中に入ったアリは外に出られないため、このような殺虫成分を用いても、土壌汚染の心配や、人体への影響も大きく軽減できる。
【００３５】
以上、本実施形態について図を用いて説明をしたが、さらに簡略化したものとして、捕虫ブラシ１を取り付けたトラップにかえて、容器の開口部に直接捕虫ブラシ１を配置した捕虫器でもよい。具体的には、容器の壁面に害虫の侵入孔を設け、この孔部に直接、線状部材１ａが傾斜するように捕虫ブラシ１を配置してもよい。このような構成にすることで、捕虫器１００が安価に製造できる。
【００３６】
また、捕虫器は、直方体などの箱状の容器の側面に捕虫器内への入り口となる開口部を設け、容器内の途中に捕虫ブラシを傾斜させて配置したものでもよい。この捕虫器の場合は、箱状の容器内に進入した害虫が、捕虫ブラシを通り抜けると、入口側に戻ることができないため、捕虫ブラシより奥の空間にとどめておくことができる。このような構造の捕虫器であれば、構造が単純で安価に製造できる。
【００３７】
また、容器を紙などの廃棄できる材料で作成すれば、捕虫器１００と害虫をまとめて破棄することもできる。
【００３８】
また、本実施形態においては、捕虫ブラシ１は線状部材１ａの自由端を下方にむけて配置したが、これに限られない。アリなどの虫は侵入する際に孔の下方だけでなく、側面を進行したり逆さになって上面を進行することもできる。従って、線状部材１ａの向きは、自由端が下方に向く場合に限られず、どのような方向に向けて配置してもよい。その場合も、線状部材１ａの自由端が固定端側よりも害虫の進入方向下流側に位置するように配置されていればよい。
【００３９】
次に、実施例を挙げて本発明をより具体的に説明する。ただし、本発明はこれらの実施例のみに限定されるものではない。また、以下の実施例は、アリを捕虫対象としているが、本発明の捕虫器の捕虫対象はアリに限られず、ゴキブリなどのそのほかの害虫やコバエなどの飛行性害虫なども含むことは言うまでもない。
【実施例】
【００４０】
（実施例１〜９の作成）
実施例１〜９として捕虫ブラシの傾斜角がそれぞれ異なる９つの捕虫器を作成した。捕虫器は捕虫ブラシを配置したトラップと容器とから構成される形式のものを用いた。容器は、10×15×10cmの中空のアクリルケースを用いた。トラップは、2.5×2.5×1.5cmの（中実の）アクリル製樹脂の中心に、幅1.4cm、高さ0.5cmの楕円形状の通路孔をあけ、さらに出口側の面を切削して傾斜面を形成した。実施例ごとに傾斜面と害虫の進入方向となす角度を変えるために、傾斜角度を10度から50度まで5度おきに変えて傾斜面を形成した。そして、トラップの傾斜面に、トラップの出口をふさぐように捕虫ブラシを配置することで、捕虫ブラシの害虫の進入方向となす角度がそれぞれ異なるトラップを作成した。出口部分に配置する捕虫ブラシは、60メッシュ／inchのPPS製織物（線径150μm）のヨコ糸を、固定端とする部分を残して引き抜いたものを用いた。そして、容器にトラップを差し込んで配置するための孔をあけ、その孔にトラップの入口が容器の外側に向くようにトラップを差し込み、トラップと容器とをエポキシ系接着剤によって隙間なく接着して固定したものを、各実施例の捕虫器とした。誘引物質としては10％ショ糖水を濾紙（1cm×5cm）にしみこませたものを用い、捕虫ブラシと濾紙を5mmほど重ねて設置した。
【００４１】
（実施例１０の作成）
10％ショ糖水をしみこませた濾紙を捕虫ブラシから1cm離して（濾紙と捕虫ブラシを直接接触させないで）設置した以外は実施例６と同様の方法にて作成した。
【００４２】
（実施例１１〜１９の作成）
捕虫ブラシとして、100メッシュ／inchのPPS製織物（糸径115μm）のヨコ糸を引き抜いたものを用いた以外は実施例１〜９と同じ方法で作成した。
【００４３】
（実施例２０の作成）
10％ショ糖水をしみこませた濾紙を捕虫ブラシから1cm離して設置した以外は実施例１６と同様の方法にて作成した。
【００４４】
（比較例１、２の作成）
トラップの出口角度を５度、６０度にして、捕虫ブラシの害虫の進入方向となす角度を５度と６０度にした以外は実施例１〜９と同じ方法で作成した捕虫器をそれぞれ比較例１、２とした。
【００４５】
（比較例３、４の作成）
捕虫ブラシを100メッシュ／inchのPPS製織物（糸径115μm）のヨコ糸を引き抜いたものを用いた以外は、比較例１、２と同じ方法で作成した。
【００４６】
（捕虫器によるアリの捕虫試験）
以上のようにして作成した実施例および比較例の捕虫器を用いて実際にアリを捕獲する実験を行った。実験は、晴れた日の10時〜11時の１時間、実施例１〜１０、および比較例１、２を、クロアリ（体長４〜５mm）が列をなして歩いている付近に置いてアリの捕獲数を調べた。また実施例１１〜２０、および比較例３、４は、実施例１〜１０、比較例１，２より糸径が細く糸の間隔が狭いため、クロアリよりも体長の小さい虫に適している。そのため、実施例１１〜２０と比較例３，４は、同じ日の同じ時間にクロアリより体長の小さいアメイロアリ（体長２mm）が列をなして歩いている付近に、10cm間隔で置いてアリの捕獲数を調べた。その後さらに、各実施例と比較例について、別の晴れた日に同じ試験を行い、計３回試験を行った。その結果を表１に示す。
【００４７】
【表１】
0005782249.tif 000002
【００４８】
以上の結果より、すべての実施例においてアリが捕虫できたことが確認できた。ただし誘引物質である濾紙を捕虫ブラシに接触させないものでは捕虫効率が悪かった。また捕虫試験後の捕虫器を密閉したビニル袋に入れて２４時間放置して、捕虫器の外の出たアリがいるかを確認したところ、捕虫器の中に入ったアリが外に出たものはいなかった。以上のことから、本発明の捕虫器は、有害な物質による土壌汚染などの問題もなく、効率よくアリが捕獲できることが確認できた。
【符号の説明】
【００４９】
１００  捕虫器
１０    トラップ
１      捕虫ブラシ
２      本体部分
２１    入口
２２    通路
２３    出口
５０    容器
４      誘引物質誘導部
５      誘引物質
【図１】
0005782249.tif 000003
【図２】
0005782249.tif 000004
【図３】
0005782249.tif 000005